(57)【特許請求の範囲】
【請求項１】
柔軟性の第１のシート部（６）と、
柔軟性の第２のシート部（７）と、
ポーチの第１の端（１２）に沿っている、前記第１のシート部（６）と前記第２のシート部（７）との間の第１の持続的な封止部（１４）と、
前記第１の端（１２）の反対側の前記ポーチの第２の端（１３）に沿っている、前記第１のシート部（６）と前記第２のシート部（７）との間の第２の持続的な封止部（１５）と、
前記第１のシート部（６）と前記第２のシート部（７）との間の第１の一時的な封止部（１６）であって、前記第１の持続的な封止部（１４）と前記第２の持続的な封止部（１５）との間で前記ポーチにわたって延在する第１の一時的な封止部（１６）と、
前記第１のシート部（６）、前記第２のシート部（７）、前記第１の持続的な封止部（１４）、前記第２の持続的な封止部（１５）、及び前記第１の一時的な封止部（１６）によって囲まれた第１区画（２０）と、
を備え、前記第１のシート部（６）は、前記第２のシート部（７）よりも長く、かつ前記第２のシート部（７）によって重畳されない前記第１のシート部（６）の一部は、前記ポーチのためのフラップ部（２３）を備えるタバコ・ポーチ形のパッケージであって、
前記第１のシート部（６）と前記第２のシート部（７）との間の第２の一時的な封止部（１７）であって、前記第１の持続的な封止部（１４）と前記第２の持続的な封止部（１５）との間で前記ポーチにわたって延在する第２の一時的な封止部（１７）と、
前記第１のシート部（６）、前記第２のシート部（７）、前記第１の持続的な封止部（１４）、前記第２の持続的な封止部（１５）、前記第１の一時的な封止部（１６）、及び前記第２の一時的な封止部（１７）によって囲まれた第２区画（２１）と、
をさらに備えることを特徴とするタバコ・ポーチ形のパッケージ。
【請求項２】
前記第１のシート部（６）及び前記第２のシート部（７）は、連続する柔軟性シートの一部分であり、前記第２のシート部（７）が前記第１のシート部（６）に対して折り曲げられている、または、
前記第１のシート部（６）及び前記第２のシート部（７）は、柔軟性シートの別個の部分であり、前記パッケージは、前記ポーチの第３の端に沿っている、前記第１のシート部（６）と前記第２のシート部（７）との間の第３の持続的な封止部を更に備える、請求項１に記載のタバコ・ポーチ形のパッケージ。
【請求項３】
前記第１の一時的な封止部（１６）及び前記第２の一時的な封止部（１７）のうちの少なくとも１つは、剥離可能な接着封止部、再封可能な封止部、再封可能な接着封止部、または再封可能な固定部を備える、請求項１または２に記載のタバコ・ポーチ形のパッケージ。
【請求項４】
前記第１の一時的な封止部（１６）が剥離可能な封止部を備えるか又は剥離可能な封止部からなり、前記第２の一時的な封止部（１７）が再封可能な封止部を備えるか又は再封可能な封止部からなる、請求項１〜３の何れか一項に記載のタバコ・ポーチ形のパッケージ。
【請求項５】
前記第１の一時的な封止部（１６）及び前記第２の一時的な封止部（１７）のうちの少なくとも１つが再封可能な固定部を更に備える、請求項１〜４の何れか一項に記載のタバコ・ポーチ形のパッケージ。
【請求項６】
柔軟性の前記第１のシート部（６）及び柔軟性の前記第２のシート部（７）が、柔軟性シート部（６、７）に適用される温度に応じて変化する接着性を有し、
前記柔軟性シート部（６、７）は第１の適用温度での第１の粘着値及び第２の適用温度での第２の粘着値を有し、前記第２の粘着値は前記第１の粘着値より低く、かつ前記第２の適用温度は前記第１の適用温度より低い、請求項１〜５の何れか一項に記載のタバコ・ポーチ形のパッケージ。
【請求項７】
前記フラップ部（２３）は、前記ポーチに対して該フラップ部（２３）を封止するための一時的な封止部を備える、請求項１〜６の何れか一項に記載のタバコ・ポーチ形のパッケージ。
【請求項８】
前記第２の一時的な封止部（１７）は前記ポーチのスロート部（２２）を形成するために前記第２のシート部（７）の自由縁部からオフセットされ、前記第１のシート部（６）は前記スロート部（２２）で前記第２のシート部（７）によって重畳される、請求項１〜７の何れか一項に記載のタバコ・ポーチ形のパッケージ。
【請求項９】
前記第１区画及び前記第２区画のうちの少なくとも１つは、区画を２つの下位区画に分ける、前記第１のシート部（６）と前記第２のシート部（７）との間の更なる封止部を備える、請求項１〜８の何れか一項に記載のタバコ・ポーチ形のパッケージ。
【請求項１０】
前記第１のシート部（６）と前記第２のシート部（７）との間の第３の一時的な封止部であって、前記第１の持続的な封止部（１４）と前記第２の持続的な封止部（１５）との間で前記ポーチにわたって延在する第３の一時的な封止部と、
前記第１のシート部（６）、前記第２のシート部（７）、前記第１の持続的な封止部（１４）、前記第２の持続的な封止部（１５）、前記第２の一時的な封止部（１７）、及び前記第３の一時的な封止部によって囲まれた第３の区画と、
を備える請求項１〜９の何れか一項に記載のタバコ・ポーチ形のパッケージ。
【請求項１１】
前記第１の一時的な封止部（１６）及び／又は前記第２の一時的な封止部（１７）がそれぞれ柔軟性の前記第１のシート部（６）及び前記第２のシート部（７）の密封領域（８１、８２）において形成されており、それぞれの密封領域（８１、８２）は柔軟性の前記第１のシート部（６）及び柔軟性の前記第２のシート部（７）の広い面の領域から折り曲げられ、
前記密封領域（８１、８２）はそれぞれ、前記第１のシート部（６）又は前記第２のシート部（７）の広い面の領域に対して７０°〜１２０°の角度で折り曲げられている、請求項１〜１０のいずれか一項に記載のタバコ・ポーチ形のパッケージ。
【請求項１２】
第１のシート部（６）及び第２のシート部（７）を提供するステップ、
ポーチの第１の端（１２）に沿って前記第１のシート部（６）と前記第２のシート部（７）との間に第１の持続的な封止部（１４）を形成するステップと、
前記第１の端（１２）の反対側の前記ポーチの第２の端（１３）に沿って前記第１のシート部（６）と前記第２のシート部（７）との間に第２の持続的な封止部（１５）を形成するステップと、
前記第１のシート部（６）と前記第２のシート部（７）との間の第１の一時的な封止部（１６）であって、前記第１の持続的な封止部（１４）と前記第２の持続的な封止部（１５）との間で前記ポーチにわたって延在する第１の一時的な封止部（１６）を形成して、前記第１のシート部（６）、前記第２のシート部（７）、前記第１の持続的な封止部（１４）、前記第２の持続的な封止部（１５）、及び前記第１の一時的な封止部（１６）によって囲まれた第１区画（２０）を形成するステップと、
前記第１のシート部（６）と前記第２のシート部（７）との間の第２の一時的な封止部（１７）であって、前記第１の持続的な封止部（１４）と前記第２の持続的な封止部（１５）との間で前記ポーチにわたって延在する第２の一時的な封止部（１７）を形成して、前記第１のシート部（６）、前記第２のシート部（７）、前記第１の持続的な封止部（１４）、前記第２の持続的な封止部（１５）、前記第１の一時的な封止部（１６）、及び前記第２の一時的な封止部（１７）によって囲まれた第２区画（２１）を形成するステップと、
を備える、請求項１〜１１の何れか一項に記載のタバコ・ポーチ形のパッケージを形成する方法。
【請求項１３】
前記第１のシート部（６）及び前記第２のシート部（７）は、連続する柔軟性シートの一部分であり、前記方法は、封止部を形成する前に、前記第２のシート部（７）が前記第１のシート部（６）に対して折り曲げられるステップを更に備える、または、
前記第１のシート部（６）及び前記第２のシート部（７）は柔軟性シート材料の別個の部分であり、前記方法は、前記ポーチの第３の端に沿っている、前記第１のシート部（６）と前記第２のシート部（７）との間の第３の持続的な封止部を形成するステップを更に備える、請求項１２に記載のタバコ・ポーチ形のパッケージを形成する方法。
【請求項１４】
前記第１の一時的な封止部（１６）が剥離可能な接着封止部を備えるか又は剥離可能な接着封止部からなり、前記第２の一時的な封止部（１７）が再封可能な封止部を備えるか又は再封可能な封止部からなる、請求項１２または１３に記載のタバコ・ポーチ形のパッケージを形成する方法。
【請求項１５】
前記第１の一時的な封止部（１６）及び／又は前記第２の一時的な封止部（１７）がそれぞれ柔軟性の前記第１のシート部（６）及び前記柔軟性の第２のシート部（７）の密封領域（８１、８２）に形成された後に、
前記密封領域（８１、８２）が柔軟性の前記第１のシート部（６）及び柔軟性の前記第２のシート部（７）のそれぞれの広い面の領域から折り曲げられ、前記密封領域（８１、８２）が柔軟性の前記第１のシート部（６）又は柔軟性の前記第２のシート部（７）の広い面の領域に対して７０°〜１２０°の角度で傾けられている、請求項１２〜１４の何れか一項に記載のタバコ・ポーチ形のパッケージを形成する方法。
【請求項１６】
柔軟性の第１のシート部と、
柔軟性の第２のシート部と、
ポーチの第１の端に沿っている、前記第１のシート部と前記第２のシート部との間の第１の持続的な封止部と、
前記第１の端の反対側の前記ポーチの第２の端に沿っている、前記第１のシート部と前記第２のシート部との間の第２の持続的な封止部と、
前記第１のシート部と前記第２のシート部との間の第１の一時的な封止部であって、前記第１の持続的な封止部と前記第２の持続的な封止部との間で前記ポーチにわたって延在する第１の一時的な封止部と、
前記第１のシート部と前記第２のシート部との間の第２の一時的な封止部であって、前記第１の持続的な封止部から前記第２の持続的な封止部まで前記ポーチにわたって延在する第２の一時的な封止部と、
前記第１のシート部、前記第２のシート部、前記第１の持続的な封止部、前記第２の持続的な封止部、及び前記第１の一時的な封止部によって囲まれた第１区画であって、前記第１の一時的な封止部及び前記第２の一時的な封止部により形成される開口部を通してアクセス可能である第１区画と、
前記第１のシート部、前記第２のシート部、前記第１の持続的な封止部、前記第２の持続的な封止部、前記第１の一時的な封止部、及び前記第２の一時的な封止部によって囲まれた第２区画と、
を備え、前記第１のシート部は、前記第２のシート部よりも長く、かつ前記第２のシート部によって重畳されない前記第１のシート部の一部は、前記ポーチのためのフラップ部を備える、請求項１に記載のタバコ・ポーチ形のパッケージ。
【発明の詳細な説明】
【技術分野】
【０００１】
この開示は、包装技術に関するものであり、特にポーチ形のパッケージの形成に関する。
【背景技術】
【０００２】
可能な限り、包装された商品は消費のために新しいままに維持されることが望ましい。包装された商品を開封まで密封された状態に維持することは可能であるが、パッケージが開封された後は、包装された商品の品質は悪化される。再封可能な包装は入手可能であるか、再封可能な封止は一般的には気密封止（hermetic seal）を提供しない。
【０００３】
包装された商品の一例は、手巻きのタバコである。手巻きのタバコのパッケージは、開封されるまで密封される。
【先行技術文献】
【特許文献】
【０００４】
【非特許文献１】英国特許出願第１２１６０８７号
【発明の概要】
【発明が解決しようとする課題】
【０００５】
開封された後に、タバコは水分を失って乾燥し、喫煙感覚に影響を及ぼす。
【０００６】
商品の改良された包装に対するニーズが存在する。
【課題を解決するための手段】
【０００７】
この要約は、詳細な説明において更に後述する簡略化された概念の選択を導くために設けられている。この要約は請求された内容の鍵となる特徴又は基本的特徴を確認することを目的としない。また、請求された内容の範囲を決定する際の補助として使われることを目的としない。
【０００８】
以下を備えるポーチ形のパッケージが提供される：
柔軟性の第１のシート部と、
柔軟性の第２のシート部と、
ポーチの第１の端に沿っている第１のシート部と第２のシート部との間の第１の持続的な封止部と、
ポーチの第２の端に沿っている第１のシート部と第１の端の反対側の第２のシート部との間の第２の持続的な封止部と、
第１のシート部と第２のシート部との間の第１の一時的な封止部であって、第１の持続的な封止部と第２の持続的な封止部の間でポーチをわたって延在する第１の一時的な封止部と、
第１のシート部と第２のシート部との間の第２の一時的な封止部であって、第１の持続的な封止部と第２の持続的な封止部の間でポーチをわかって延在する第２の一時的な封止部と、
第１のシート部、第２のシート部、第１の持続的な封止部、第２の持続的な封止部及び第１の一時的な封止部によって囲まれた第１区画と、
第１のシート部、第２のシート部、第１の持続的な封止部、第２の持続的な封止部、第１の一時的な封止部及び第２の一時的な封止部によって囲まれた第２区画。
【０００９】
第１のシート部及び第２のシート部は、連続柔軟性シートの一部分であることができ、第２のシート部が第１のシート部に対して折り曲げられる。
【００１０】
第１のシート部及び第２のシート部は柔軟性シートの分離された部分であることができ、パッケージはポーチの第３の端に沿って第１のシート部と第２のシート部との間の第３の持続的な封止部を更に備える。
【００１１】
第１の一時的な封止部及び第２の一時的な封止部のうちの少なくとも１つは、剥離可能な接着封止部を備えることができる。
【００１２】
第１の一時的な封止部及び第２の一時的な封止部のうちの少なくとも１つは、再封可能な接着封止部から成ることができるか又は再封可能な接着封止部を更に備えることができる。
【００１３】
再封可能な接着剤は、感圧接着剤（pressure sensitive adhesive）でもよい。
【００１４】
換言すれば、第１の一時的な封止部及び第２の一時的な封止部のうちの少なくとも１つは、剥離可能な接着封止部又は再封可能な封止部を備えることができるか又は剥離可能な接着封止部又は再封可能な封止部からなることができる。再封可能な封止部は、例えば感圧接着剤のような再封可能な接着封止部、又は例えばジッパーのような再封可能な固定部でありえる。好ましくは、第１及び第２の一時的な封止部のうちの少なくとも１つは、剥離可能な接着封止部を備えるか、又は剥離可能な接着封止部をからなる。好ましくは、第１の一時的な封止部は、剥離可能な接着封止部を備えるか、又は剥離可能な接着封止部から成ることができる。
【００１５】
第１の一時的な封止部は剥離可能な接着封止部を備えるか又は剥離可能な接着封止部からなることができ、第２の一時的な封止部は再封可能な接着封止部のような再封可能な封止部又は再封可能な固定部を備えるか又は再封可能な接着封止部のような再封可能な封止部又は再封可能な固定部からなることができる。
【００１６】
第１の一時的な封止部及び第２の一時的な封止部のうちの少なくとも１つは、再封可能な固定部を更に備えることができる。
【００１７】
柔軟性のシート部は、第１層に適用された温度に応じて変化する接着性を有することができる。
【００１８】
シート部は第１の適用温度（applied temperature）で第１の粘着値及び第２の適用温度で第２の粘着値を有することができる。そこにおいて、第２の粘着値は第１の粘着値より低く、第２の温度は第１の温度より低い。
【００１９】
第１のシート部は第２のシート部より長くなることができ、第２のシート部によって重ねられない第１のシート部の一部はポーチのためのフラップ（flap）を備えることができる。
【００２０】
フラップ部は、ポーチに対してフラップを封止するための一時的な封止部を備えることができる。
【００２１】
第２の一時的な封止部はポーチのスロート部を形成するために第２のシート部の自由縁部から相殺されることができ、第１のシート部はスロート部で第２のシート部と重畳する。
【００２２】
区画のうちの少なくとも１つは、区画を２つの下位区画に分けると共に第１のシート部と第２のシート部との間に位置する更なる封止部を備えることができる。更なる封止部は、第１の持続的な封止部と平行して延在することができる。
【００２３】
下位区画は、異なるサイズであってもよい。
【００２４】
パッケージは、更に以下を備えることができる：
第１のシート部と第２のシート部との間の第３の一時的な封止部であって、第１の持続的な封止部と第２の持続的な封止部との間でポーチ全体にわたって延在する第３の一時的な封止部、及び
第１のシート部、第２のシート部、第１の持続的な封止部、第２の持続的な封止部、第２の一時的な封止部及び第３の一時的な封止部によって囲まれた第３の区画。
【００２５】
シート部は、複数の層を有する積層体を備えることができる。
【００２６】
積層体の層のうちの１つは、バリア層を備えることができる。
【００２７】
パッケージは、例えば手巻きのタバコのためのタバコ・ポーチ形であってもよい。
【００２８】
第１の一時的な封止部及び／又は第２の一時的な封止部はそれぞれ１及び２柔軟性シート部の密封領域において形成されることができる。そこにおいて、それぞれの密封領域は第１及び柔軟性の第２のシート部の広い面の領域から折り曲げられる。こうすることによって、ポーチ・タイプ・パッケージが形成され得る。そこにおいて、第１区画は第２区画と平行して配置されている。第１区画の広い面は、第２区画の広い面に向かっている。好ましくは、密封領域は、柔軟性の第１のシート部又は柔軟性の第２のシート部の広い面の領域のそれぞれに対して、７０°〜１２０°、好ましくは８０°〜１１０°の範囲内の角度で折り曲げられる。密封領域がそのような好適な角度で折られた場合、そのような密封領域を備える本発明のパッケージは前記密封領域上に立設され得る。すなわち、前記密封領域は、本発明のパッケージのためのベース又は底面（footprint）を形成できる。さらに、２つの密封領域がパッケージの対応する端に形成される場合（すなわち、第１及び第２の一時的な封止部がそれぞれ、各密封領域において形成される場合）、結果として生じるパッケージは古典的ポーチ・タイプ・パッケージと比較して改良された積み重ね性を呈する。
【００２９】
改良されたパッケージ左右対称を可能にするために、対向する密封領域は、サイズ、幅及び／又は位置において調整されていることができる。好ましくは、対向する密封領域は、等しいサイズ及び／又は幅を呈する。好ましくは、結果として生じるパッケージが直方体状の外側外観を呈するように、対向する密封領域は形成され、且つ位置する。そこにおいて、対向する封止部材は前記立方体の２つの対向する面を形成する。封止部材は、第１及び第２の区画の厚さの合計を超える幅を有することができ、第１区画と第２区画との間に間隔（spacing）が形成さ得る。そのような間隔は、第１区画と第２区画の間に例えば紙小冊子（paper booklet）のようなアクセソワール（accessoires）を配置するために用いることができる。
【００３０】
そのような密封領域は、１ｍｍから３ｃｍまでの幅、好ましくは２ｍｍから２．５ｃｍまでの幅を有することができる。密封領域が１ｍｍ未満の幅を有する場合、前記密封領域は本発明のパッケージのためのベース又は底面として機能するのに好適ではない場合がある。
【００３１】
以下のステップを備えるポーチ形のパッケージを形成する方法も提供される：
第１のシート部及び第２のシート部を提供するステップ、
ポーチの第１の端に沿って第１のシート部と第２のシート部との間に第１の持続的な封止部を形成するステップ、
第１の端の反対側のポーチの第２の端に沿って第１のシート部と第２のシート部との間に第２の持続的な封止部を形成するステップ、
第１のシート部と第２のシート部との間の第１の一時的な封止部であって、第１の持続的な封止部と第２の持続的な封止部の間でポーチにわたって延在する第１の一時的な封止部を形成して、第１のシート部、第２のシート部、第１の持続的な封止部、第２の持続的な封止部及び第１の一時的な封止部によって囲まれた第１区画を形成するステップ、及び
第１のシート部と第２のシート部との間の第２の一時的な封止部であって第１の持続的な封止部と第２の持続的な封止部の間でポーチにわかって延在する第２の一時的な封止部を形成して、第１のシート部、第２のシート部、第１の持続的な封止部、第２の持続的な封止部、第１の一時的な封止部及び第２の一時的な封止部によって囲まれた第２区画を形成するステップ。
【００３２】
本発明の方法において、第１の一時的な封止部は剥離可能な接着封止部を備える又は剥離可能な接着封止部からなるように形成され得る。一方、第２の一時的な封止部は、再封可能な封止部を備えるか又は再封可能な封止部からなるように形成されることができる。
【００３３】
第１のシート部及び第２のシート部は連続的な柔軟性シートの部分であってもよい。そして、その方法は、封止部を形成する前に第１のシート部に対して第２のシート部を折り曲げるステップを更に含む。
【００３４】
第１のシート部及び第２のシート部は可撓性シート材料の別個の部分でもよい、そして、その方法はポーチの第３の端に沿って第１のシート部と第２のシート部との間に第３の持続的な封止部を形成するステップを更に含む。
【００３５】
本発明の方法において、第１の一時的な封止部及び／又は第２の一時的な封止部はそれぞれ、その後に第１及び柔軟性の第２のシート部の広い面の領域から折り曲げられる第１及び柔軟性の第２のシート部の密封領域において形成されることができる。こうすることによって、ポーチ・タイプ・パッケージを形成できる。そこにおいて、第１区画は第２区画と平行して配置される。第１区画の広い面は第２区画の広い面に向かっている。好ましくは、密封領域は、柔軟性の第１のシート部又は柔軟性の第２のシート部の広い面の領域に対して、それぞれ、70°〜120°の範囲内の角度、好ましくは８０°〜１１０°の範囲内の角度で折り曲げられる。密封領域がそのような好適な角度で折り曲げられる場合、そのような封止領域を備える本発明のパッケージは封止領域上に立設することができ、すなわち密封領域は本発明のパッケージのためのベース又は底面を形成できる。さらに、２つの密封領域がパッケージの対向端で形成される場合（すなわち、第１及び第２の一時的な封止部がそれぞれ、各密封領域において形成される場合）、結果として生じるパッケージは古典的ポーチ・タイプ・パッケージと比較して改良された積み重ね性を呈する。
【００３６】
改良されたパッケージ左右対称を可能にするために、対向する密封領域はそれらがサイズ、幅及び／又は位置において調整されるように形成されることができる。好ましくは、対向する密封領域は、等しいサイズ及び／又は幅を呈する。好ましくは、結果として生じるパッケージが実質的に立方体状の外側外観を呈するように、対向する密封領域は形成され、且つ位置する。そこにおいて、対向する封止部材は立方体の２つの対向する面を形成する。
【００３７】
封止部材は、第１及び第２の区画の厚さの合計を超える幅を有することができ、そのため第１区画と第２区画の間に間隔（spacing）の形成を可能である。
【００３８】
そのような間隔は、第１区画と第２区画との間に例えば紙小冊子のようなアクセソワール （accessoires ）を配置するように用いることができる。そのような密封領域は、１ｍｍから３ｃｍまでの幅、好ましくは２ｍｍから２．５ｃｍまでの幅を有することができる。密封領域が１ｍｍ未満の幅を有する場合、密封領域は本発明のパッケージのためのベース又は底面として機能するために好適でない場合がある。
【００３９】
複数の区画を提供することは格納された商品の新鮮さを改善することができ、ポーチが開封されるときに露出される商品（例えばタバコ）の量がより少なくなるので、この結果、残りのタバコが詰めたて（freshly packed environment）の環境に保たれる。ポーチは、従来のパッキング方法と互換性を持って、使用するのに便利である。
【００４０】
当業者に自明で且つ好適な特徴は適当に結合されることができ、本発明の態様のいずれかと結合されることができる。
【００４１】
本発明の実施形態は、以下の図面を参照して例として記載されている。
【図面の簡単な説明】
【００４２】
【図１】ポーチを形成するために用いるフラットシートの第１の実施例を示す図である。
【図２】ポーチを作られた後の図１のフラットシートを示す図である。
【図３Ａ】保存構成の最終的なポーチを示す図である。
【図３Ｂ】保存構成の最終的なポーチを示す図である。
【図４】再封可能な封止部を有するポーチを形成するために用いるフラットシートの他の実施例を示す図である。
【図５】ポーチを作られた後の図４のフラットシートを示す図である。
【図６】下位区画を有するポーチを形成するために用いるフラットシートの他の実施例を示す図である。
【図７】本発明のポーチ―タイプ・パッケージを形成するために用いるフラットシートの他の実施例を示す図である。
【図８】保存構成の図７のフラットシートで形成された本発明の最終的なポーチ―タイプ・パッケージを示す図である。類似の特徴を示すために、共通の参照番号が全図にわたって用いられる。
【発明を実施するための形態】
【００４３】
以下において、本発明の実施形態は、例のためだけに記載される。これらの実施例は、それらが本発明を達成できる唯一の方法ではないが、出願人が現在知られている本発明を実行するための最善の方法を表す。本明細書は、実施例を明らかにして、その実施例を構成して作動するためのステップ順序を明らかにする。しかしながら、同じ又は同等な機能及び順序は、異なる実施例によって達成されることができる。
【００４４】
図１は、パッケージを形成するために用いる可撓性シート材料のフラットシート１０の第１の実施例を示す。
【００４５】
パッケージは、複数の区画を有するポーチ形である。図２は、ポーチに形成された後のブランク(blank）の正面図を示す。図３は、組み立てられたポーチを示す。実施例において、ポーチは、ポーチを形成するために２つに折り曲げられる単一の連続シート材から形成される。
【００４６】
もう一つの実施例では、ポーチは、シート材料の２つの別途の部分であり、そのうち一方が敷設されている部分であり、他方に封着される。これらの実施例の各々において、柔軟性の第１のシート部６及び柔軟性の第２のシート部７がある。１枚の連続シートを用いた実施例は、以下において更に詳細に記載されている。用語「柔軟性の第１のシート部」６は、折り目ライン１１の一方側上のシートの部分を言い、用語「柔軟性の第２のシート部」は、折り目ライン１１の他方側上のシートの部分を言う。可撓性シート材料は、一緒に結合される単一の層又は複数の層を有することができる。複数の層材料は、積層体と称される。シート１０の対向する側上の端１２、１３は、側縁と呼ばれている。また、シートは、シートの対向する末で端２４、２５を有する。
【００４７】
また、図１は、ポーチを形成するための柔軟性の第１のシート部６と柔軟性の第２のシート部７との間の封止の位置を示す。フラットシート１０がポーチに作られるときに、封止部は形成される。第１のシート部６と第２のシート部７との間の第１の持続的な封止部１４は、ポーチの第１の端１２に沿って位置する。第１のシート部６と第２のシート部７との間の第２の持続的な封止部１５は、第１の端１２の反対側のポーチの第２の端１３に沿って位置する。第１のシート部６と第２のシート部７との間の第１の一時的な封止部１６は、第１の持続的な封止部１４と第２の持続的な封止部１５の間でポーチにわたって横方向に位置する。第１の一時的な封止部１６は、端１２、１３まで延在することができ、又は端１２、１３に至らないことができる。気密封止（hermetic seal）を確実にするために、持続的な封止部１４、１５と一時的な封止部１６との間に若干の重畳部（overlap）が存在しなければならない。第１のシート部６と第２のシート部７との間の第２の一時的な封止部１７は、第１の持続的な封止部１４と第２の持続的な封止部１５との間でポーチにわたって横方向に位置する。第１区画２０は、第１のシート部６、第２のシート部７、第１の持続的な封止部１４、第２の持続的な封止部１５、第１の一時的な封止部１６及びシートの折り曲げられた端１１に囲まれている。第２区画２１は、第１のシート部６、第２のシート部７、第１の持続的な封止部１４、第２の持続的な封止部１５、第１の一時的な封止部１６及び第２の一時的な封止部１７に囲まれている。持続的な封止部１４、１５を形成した後に、区画２０、２１の各々は商品（例えば、タバコ）で満たされ、一時的な封止部１６、１７が形成される。各区画の周辺部は、気密封止された環境を商品に提供する持続的な封止部及び少なくとも一つの一時的な封止部に囲まれている。ポーチの全体の保存空間を区画に分割することによって、商品のバッチが、それが必要となるまで、区画２０内に密封されるままに保持されることが可能となる。
【００４８】
概して、フラットシート１０は、１つの製造場所でポーチに作られる。しかしながら、フラットシート１０が１つの場所で第１の製造ステージの間にポーチに部分的に形成して（例えば、ポーチの持続的な封止部１３、１４だけを形成して）、そして、異なる場所で更なる製造ステージの間に残りのステップを行うことも可能にする。
【００４９】
「持続的な封止部」という用語は、構造的完全性（structural integrity）がポーチの縫い目（seam）に提供され、ユーザによって容易に開けられない封止部を意味する。持続的な封止部は、例えば、強い粘着性の結合部又は熱溶接部であることができる。持続的な封止部の一例は、シート部６、７のポリマーが、熱の下で溶解されて、一緒に溶着されて持続的な封止部が与えられる部分である。例えば、２つのシート部６、７は何れも、ポリエチレン・シーリング部である。
【００５０】
「一時的な封止部」という用語は２つの面の間に形成される封止部を意味するが、面間に開口力を印加することによって、ユーザによって開けられることが可能である封止部を意味する。一時的な封止部は好ましくは、剥離可能な接着封止部又は再封可能な封止部を備え、又は剥離可能な接着封止部又は再封可能な封止部からなる。再封可能な封止部は、例えば感圧接着剤部のような再封可能な接着封止部であることができ、また例えばジッパーのような再封可能な固定部であることができる。有利には、一時的な封止部のうちの少なくとも１つは、剥離可能な封止部である。
【００５１】
図１及び図２は、第１のシート部６が第２のシート部７より長いことを示す。第２のシート部７によって、重ねられない第１のシート部６の部分２３は、ポーチのためのフラップ部を備える。フラップ部２３は、ポーチの残部に対してフラップ部２３を封止するための一時的な封止部を備えることができる。例えば、フラップ部２３には、接着性タブ（２８、図３）が付いていることができる。タブ２８は、再封可能な封止部を形成するタブ部２８の内側面に塗布された再封可能な接着剤を有することができる。他の実施例は、フラップ部２３自体の内側面が再封可能な封止部を形成するためにそれに塗布される再封可能な接着剤の領域が有することができる。
【００５２】
フラップ部２３は、一時的な封止部１７の線に沿って位置する折り目ライン周囲に折り曲げられることができる。ポーチは、フラットに置かれた２つの区画２０，２１と共に供給されることができ、フラップ部２３は２つの区画２０、２１において平坦な状態のままになっている。あるいは、ポーチは、ロール構成に供給されることができる。区画２１は、一時的なシール１６の周囲に区画２０の方へ折り重ねられ、フラップ２３部は、一時的なシール１７のラインに沿って位置する折り目ラインの周囲に折り曲げられる。フラップ部２３は、区画２０の外側を囲んで包み、区画２１の後側面に固定される。これは、図３Ａ及び３Ｂに示される。
【００５３】
図１及び図２は第２の一時的な封止部１７（そして、折り目ライン）が第２のシート部７の自由縁部２５からずれており、ポーチのスロート部２２を形成することを示す。第１のシート部６は、スロート部２２で第２のシート部７によって重ねられる。スロート部は、商品（例えばタバコ）がポーチから漏れることを防止するのに役立つ。
【００５４】
複数の折り目ラインは、図１に示される。ポーチを形成するときに、折り目を形成できる。
【００５５】
一時的な封止１６、１７は、一時的な封止を解消するために第１のシート６及び第２のシート７を分離することで商品へのアクセスが必要とされるまで、それらのそれぞれの区画２０、２１の気密性の封止部を提供する。ユーザは、一時的な封１７を開けることによって区画２１に接近できる。これは、指を使って第２のシート部７のスロート部２２の自由縁部２５を掴み、他の指を使って第１のシート部６のフラット部２３に対して力を印加することで達成されることができる。一旦、ユーザが区画２１に接近すると、一時的な封１６が開けられるまで他の区画２０は封止されるままである。
【００５６】
一時的な封止部１６、１７は、剥離可能な接着封止部又は再封可能な封止部を備えるか、又は剥離可能な接着封止部又は再封可能な封止からなることができる。再封可能な封止部は、例えば感圧接着剤のような再封可能な接着封止部であることができ、又は例えばジッパーのような再封可能な固定部であることができる。好ましくは、一時的な封止部１６、１７のうちの少なくとも１つは、剥離可能な接着封止部を備えるか又は剥離可能な接着封止部からなる。好ましくは、第１の一時的な封止部１６は剥離可能な接着封止部を備えるか又は剥離可能な接着封止部から成ることができる。一方、第２の一時的な封止部１７は、例えば再封可能な接着封止部のような再封可能な封止部又は再封可能な固定部を備えるか又は例えば再封可能な接着封止部のような再封可能な封止部又は再封可能な固定部からなることができる。
【００５７】
一時的な封止部１６、１７は、剥離可能な接着封止部から成ることができる。剥離可能な接着剤部は、封止部を提供するが、その封止部は、第１のシート部６及び第２のシート部７の間に分離力に印加することによって開けられる。剥離可能な接着材層は、フレキソ印刷、グラビア印刷、又はデジタル印刷／コーティングによって、又は転送塗布（transfer application）により塗布されたパターンであることができる。剥離可能な接着剤は、接着工程及び塗布工程の形成に応じて０．５〜１２グラム／平方メートルの範囲内の重量で塗布されることができる。これは、一緒に区画を保つ下部の熱封止結合部を有するパックの領域を与えるが、剥離可能な開口部の手段によって簡単にアクセス可能となる。
【００５８】
剥離可能な接着シールは、封止部が開けられた後に、一般的に再封止ができない。有利には、一時的な封止部は、剥離可能な接着封止部に加えて設けられ得る再封可能な封止部を更に備える。図４は、再封可能な封止部３１、３２を示す。再封可能な封止部３２は、一時的な封止部１７の内側に（すなわち自由縁部２５から離れて）配置される。感圧接着剤（ＰＳＡ）が、再封可能な封止部として用いられることが可能である。ＰＳＡは、２つの面を互いに付着させるが、それらの分離、そしてその後の再付着を可能とする。ＰＳＡは、フレキソ印刷、グラビア印刷、又はデジタル印刷／コーティングによって、又は転送塗布（transfer application）により塗布されたパターンであることができる。ＰＳＡの典型的な重量範囲は、０．５〜２０グラム／平方メートルである。剥離可能な接着剤は、自己融着性（self-adhesive）のストリップによって、ポーチ（コンバータ／機械包装によって、）を形成することの間に塗布されることができる。
【００５９】
再封可能な封止部としてＰＳＡを使用することに対する代替例は、例えばジッパーのような再封可能な固定部を提供することがある。概して、再封可能な固定部は、封止部を提供するために協同する２つの要素を有する。再封可能な封止部要素のうちの一方が第１のシート部６に設けられていることができる。そして、再封可能な封止部要素の他方が第２のシート部７に設けられていることができる。
【００６０】
積層体がシート材料１０として用いられる実施例において、再封可能な封止部３１，３２を提供することの他の代替例は、ポーチを形成するために用いるシート材料のラミネート構造体内に取り外し可能な（removable）又は取り剥がし可能なタブ／ラベルを作成することである。例えば、積層体の外側層は、ＰＳＡによって、内側層に結合され得る。タブ／ラベルを画定する切れ目は、外側層（例えばレーザーによって、）において形成され得る。その後、ユーザは、再封可能な層を露出させるために、タブ／ラベルを取り剥がし得る。これらのタブ／ラベルは、いかなるサイズ又は形状であることができる。区画２０，２１を最初に開けるとき、一時的な封止１６、１７及び再封可能な封止３１、３２の組合せに替えて、ユーザが一時的な封止部１６、１７を切り離すことを必要とするだけであるので、これによって、区画がより容易に開くことができる。一旦区画が開封されると、タブ／ラベルは再封可能な封止部が現れるように除去されることができ、その後に再封可能な封止部は区画を封止するために用いる。
【００６１】
持続的な封止部１４、１５は熱封止部によって、すなわち、第１のシート部６及び第２のシート部７が融着されるまで、封止部が必要とされる領域に熱を加えることによって形成されることができる。有利には、持続的な封止部１４、１５は、通常の使用において、一緒にパックを保つのに十分な強い溶接封止部である。
【００６２】
次に、持続的な封止部１４、１５及び一時的な封止部１６、１７の組合せを形成する代替的な方法について説明する。ポーチを形成するために用いるシート材料は、可変熱封止範囲を有する。シート材料の接着性は、材料に適用される温度に応じて変化する。材料は、高い適用温度で第１の（高い）粘着力を有し、低い適用温度で第２の（より低い）粘着力を有する。第１の（高い）粘着力が持続的な封止部に適していて、第２の（より低い）粘着値は一時的な封止部に適しているように、材料が設計できる。パッケージは、それらの領域で要求されている粘着値にふさわしいフラットシートの領域に温度を適用する温度可変封止フラットシートの利用によって形成されることができる。可変的な熱封止部の場合、封止温度又はドウェル時間、或いは封止温度及びドウェル時間の両方の組合せは変更され得る。シート材料は、使用するポリマーの組合せに応じて可変的な熱封止特性を呈する共押出ポリエチレン（Ｐｏｌｙｔｈｅｎｅ）を備えることができる。一般に、材料１０のフラットシート、材料のフラットシートの層又は材料のシートのコーティング層は、材料に適用される温度に応じて変化する接着性を有することができる。
【００６３】
ポーチの区画２０、２１が如何なる所望の形状及び／又はサイズでありえることが理解されよう。図１、図２及び図４において、一時的な封止部線１６、１７はそれぞれ、端１２、１３の間に横方向にポーチをわたる直線である。しかしながら、一時的な封止部線は、他の形状を有することができる。封止線が円、弧形、ロゴタイプ等のように提供されることができる。
【００６４】
区画２０、２１の一つ以上が下位区画に分けられることが可能である。これの実施例は、図５及び６に示される。追加的な封止線１９が設けられている。有利に、封止１９は、下位区画２１Ａと下位区画２１Ｂとの間に気密封止部を提供するために封止１６、１７と結び付いて、同様に、下位区画２０Ａと２０Ｂとの間に気密封止部を提供する。手巻きタバコを格納するためのポーチの場合、下位区画２０Ａ、２１Ａはタバコを格納するために使われることができ、下位区画２１Ａ、２１Ｂは、タバコ用紙のような喫煙者の他の製品を格納するために使うことができる。有利には、封止部１９は一時的な封止部であり、必要とされるときに、その封止部は開かれることができる。例えば、区画２１の内容物が使用された後に、下位区画は、区画２０への接近が容易になるように、単一のより大きな区画に合流され得る。必要に応じて、更なる線１９は、更なる下位区画を提供するために設けられ得る。
【００６５】
実施形態は２つの区画２０、２１を有すると説明して来たが、いかなる所望の数の区画が設けられることもできる。各付加的な区画は、ポーチをわたる更なる一時的な封止部を必要とする。各付加的な区画は、第１のシート部６、第２のシート部７、第１の持続的な封止部１４、第２の持続的な封止部１５及び一対の一時的な封止部に囲まれている。
【００６６】
ポーチを形成するために用いるシート材料は、積層体から成ることができる。積層体の一つ以上の層は、以下として提供できる：
酸素バリア、
水分バリア、抗菌性バリア、及び
匂いバリア。通気性層（breathable layer）が設けられ得る。通気性層は、パッケージ内に蓄積されたガスが封止に影響を及ぼすことなく、例えばコーヒーがパッケージを漏れ出ることを可能にする。
【００６７】
パッケージ材料としての用途に適している３層の積層体の例は、例えば９ミクロンのアルーミニウムホイル層からなる内側層に結合された、例えば２０ミクロン配向ポリプロピレン（ＯＰＰ）のポリマー材からなる外側層である。内側のアルミホイル層はポリマー材からなる第２外側層に結合される。第２外側層は、第１外側層と同じ材料又は異なるポリマー材からなることができる。それが密封され、且つ可撓性を有するので、３層の積層体構造体は包装のために有利である。それらの層は、持続的な積層接着剤を利用して、一緒に積層されている。
【００６８】
ポーチのフラップ部（flap）２３は、同時係属英国特許出願ＧＢ１２１６０８７号にて説明されているように形成され得る。
【００６９】
もう一つの実施形態において、ポーチは、シート材料の２つの別個の部分から形成され得る。そこにおいて、２つの別個の部分のうち一方が敷設されており、他方に封着される。図１を参照すると、第１のシート部６及び第２のシート部７は、本実施形態において、別個の部分である。
追加の持続的な封止部は、ポーチの第１の端に沿って第１のシート部６と第２のシート部７との間に必要とされる。第１の端は、図１の折り目ライン１１の位置である。
【００７０】
ポーチを形成するために用いるシート材料のラミネート構造体の範囲内で取り外し可能な（removable）又は取り剥がし可能なタブ／ラベルを形成することが可能である。例えば、これらは、ＰＳＡによって、又は剥離可能な接着剤によって結合された層を使用して作ることができる。切れ目は、レーザーによって、形成できる。これはＱＲコード、見えない透かし、蛍光又はｂｉ蛍光のようなクーポン、隠れたメッセージ又は安全装置、或いは他の安全手段を作製するか又は加えるために用いることができる。取り外し可能な又は取り剥がし可能なタブ／ラベルによって再封止領域を作ることが可能である。これらのタブ／ラベルは、如何なるサイズ又は形状であることができる。
【００７１】
「気密封止部」は、本明細書全体において用いられている。「気密封止」と記載されているが、多くの用途において実質的な気密封止で充分であることは明らかである。従って、気密であるとして本願明細書において記載されている封止部の一部又は全部は、関連する用途のためにシーリングの適切なレベルを提供する封止部として提供されるが、厳しくは気密でない封止部として設けられていることもできる。
【００７２】
図７において他の好適な実施形態が示されており、類似の参照番号は、上記の実施形態が有する類似の特徴を示すために用いられる。冗長な反復を回避するために、次の記載においては、図１及び上述した実施形態と比較して、本実施形態の相違点及び追加的特徴に重点を置く。
【００７３】
図７の実施形態において、第１の一時的な封止部１６は、封止部が柔軟性の第１のシート部６及び第２の柔軟性シート部７の２つの特定の領域の間に最後的に形成されることを示すために、参照番号１６Ａ及び１６Ｂで表示される２つの領域によって形成される。このように、折り曲げ線１１に沿っている折り曲げた後に、柔軟性シート部域１６Ａ及び１６Ｂは接触されて、第１の一時的な封止部１６を形成する。第１の一時的な封止部１６は、剥離可能な接着封止部を備えるか又は剥離可能な接着封止部からなるように形成される。
【００７４】
同じことは、第２の一時的な封止部に対しても当てはまる。図７の実施形態において、第２の一時的な封止部１７は、封止部が柔軟性の第１のシート部６と柔軟性の第２のシート部７との２つの特定の領域の間に最後的に形成されることを示すために、参照番号１７Ａ及び１７Ｂで表示される２つの領域によって形成される。このように、折り曲げ線１１に沿っている折りたたんだ後、柔軟性シート部の領域１７Ａ及び１７Ｂは、接触されて、第２の一時的な封止部１７を形成する。第２の一時的な封止部は、再封可能な封止部、好ましくは再封可能な接着封止部又は例えばジッパーのような再封可能な固定部を備えるか、又はからなるように形成される。再封可能な固定部は、ジッパーの形状であることができ、前記ジッパーは８〜１５ｍｍの幅を有する。
【００７５】
さらにまた、図７において表される実施形態は、第１の一時的な封止部域１６Ａ、１６Ｂ、１７Ａ及び１７Ｂに隣接して追加の折り曲げ線から成る。それらの折り曲げ線は、柔軟性の第１のシート部６上の密封領域８１Ｂ及び８２Ｂを画定し、柔軟性の第２のシート部７上の密封領域８１Ａ及び８２Ａを画定する。折り曲げ線１１に沿っている折りたたんだ後、密封領域８１Ａ及び８１のＢは接触して、密封領域８１を形成するが、密封領域８２Ａ及び８２Ｂは密封領域８２を形成する。密封領域８１及び８２を制限する追加の折り曲げ線に沿っている折りたたみについては、密封領域８１及び８２はそれぞれ、柔軟性の第１のシート部６及び柔軟性の第２のシート部７の残りの広い表面から折り曲げられる。好ましくは、密封領域８１及び８２はそれぞれ、第１及び柔軟性の第２のシート部６、７の広い面の領域に対して、７０°〜１２０°範囲内の角度、好ましくは８０°〜１１０°の角度で折り曲げられる。図８に示されている、結果として生じるパッケージは、パッケージの対向する端に配列されて、柔軟性シート部６及び７の残りの広域に対してほぼ垂直である密封領域８１及び８２を呈する。密封領域８１及び８２がそのような好適な角度で折り畳まれた場合、結果として生じるパッケージは前記密封領域８１及び８２に立設されることが可能である。すなわち、前記密封領域８１、８２は本発明のパッケージのためのベース又は底面を形成する。そのような密封領域８１、８２は、１ｍｍから３ｃｍまでの幅、好ましくは２ｍｍから２．５ｃｍの幅を有することができる。密封領域８１、８２が１ｍｍ未満の幅を有する場合、前記密封領域８１、８２は本発明のパッケージのためのベース又は底部として機能するのにそれほど適切ではない場合がある。
【００７６】
換言すれば、図７及び図８において示されている実施形態で、第１及び第２の一時的な封止部１６、１７はそれぞれ、それから第１及び柔軟性の第２のシート部６、７の広い面の領域から折り曲げられる第１及び柔軟性の第２のシート部６、７の密封領域８１、８２において形成される。こうすることによって、ポーチ・タイプ・パッケージにおいて、第１区画２０は第２区画２１に対して平行に配列され、第１区画の広い面が第２区画の広い面に向かっている。好ましくは、密封領域８１、８２はそれぞれ、第１又は柔軟性の第２のシート部６、７の広い面の領域に対して、好ましくは７０°〜１２０°の範囲内で、好ましくは８０°〜１１０°の範囲内で折り曲げられる。密封領域８１、８２がそのような好適な角度で折り曲げられる場合、そのような密封領域８１、８２を備える本発明のパッケージは前記密封領域８１、８２に立設することが可能である。すなわち、前記密封領域８１、８２は、本発明のパッケージのためのベース又は底部を形成できる。さらに、２つの封止領域８１及び８２がパッケージの対応する端で形成され（すなわち、第１及び第２の一時的な封止部１６、１７はそれぞれ、各対向する密封領域８１、８２において形成され）、結果として生じるパッケージは、古典的ポーチ・タイプ・パッケージと比較して改良された積み重ね性を呈する。
【００７７】
改良されたパッケージ左右対称を可能にするために、対向する密封領域８１、８２は、それらがサイズ、幅及び／又は位置において調整されるように形成できる。好ましくは、対向する密封領域８１、８２は、等しいサイズ及び／又は幅を呈する。好ましくは、結果として生じるパッケージが立方体状の外側外観を呈するように、対向する密封領域８１、８２は形成され、且つ位置する。そこにおいて、対向する密封領域８１、８２は前記立方体の２つの対向する面を形成する。
【００７８】
密封領域８１、８２は、第１区画２０及び第２区画２１の厚さの合計を超える幅を有し、第１及び第２区画２０、２１の間に間隔（spacing）の形成を可能とする。そのような間隔は、第１及び第２区画２０、２１の間に例えば紙小冊子のようなアクセソワールを配置するために用いることができる。
【００７９】
前記密封領域８１、８２の各々は、１ｍｍ〜３ｃｍの幅、好ましくは２ｍｍ〜２．５ｃｍの幅を有することができる。密封領域８１、８２が１ｍｍ未満の幅を有する場合、前記密封領域８１、８２は本発明のパッケージのためのベース又は底部として機能するために適切ではない場合がある。
【００８０】
上記の利点及び効果が一実施形態に関することができるか、又は幾つかの実施形態に関することができることが理解されよう。その実施形態は、定まった課題の一部又は全部を解析するものに限定されず、また定まった利点及び効果の一部又は全部を有するものに限られない。
【００８１】
『不定冠詞（an）』は、これらの品目の一つ以上を意味し、本明細書中に用いられた用語『備える』は特定された手段、ブロック又は要素を含むことを意味するために用いられているが、そのようなブロック又は要素は排他的なリストを含むものではなく、方法又は装置が追加されたブロック又は要素を含むことができる方法を含むことを意味する。
【００８２】
あるいは、本願明細書において、記載されている方法のステップは、如何なる適切な順序、又は必要に応じて同時に実行されることができる。加えて、個々のブロックは、本願明細書において記載されている内容の精神と範囲から逸脱することなく、方法の何れかから削除されることができる。上記の実施形態の如何なる態様は、得ようとする効果を失うことなく、更なる実施形態を形成するために記載されている他の実施例の何れかの態様と結合されることができる。
【００８３】
上記の好ましい実施形態の詳細な説明は例としてだけに挙げられたものであり、様々な修正が当業者によってなされ得ることが理解されよう。様々な実施形態が特殊性をある程度有しており、又は一つ以上の個々の実施形態に関して記載されているが、当業者は本発明の範囲を逸脱しない範囲で開示された実施形態に多数の変更を行うことができた。
【符号の説明】
【００８４】
６    柔軟性の第１のシート部
７    柔軟性の第２のシート部
１０    フラットシート
１４    第１の持続的な封止部１４
１２、１３    端
１６    第１の一時的な封止部
１７    第２の一時的な封止部
２０、２１    区画  
【図１】
0006271729.tif 000002
【図２】
0006271729.tif 000003
【図３Ａ】
0006271729.tif 000004
【図３Ｂ】
0006271729.tif 000005
【図４】
0006271729.tif 000006
【図５】
0006271729.tif 000007
【図６】
0006271729.tif 000008
【図７】
0006271729.tif 000009
【図８】
0006271729.tif 000010